(57)【特許請求の範囲】
【請求項１】
被加熱器具を加熱体への通電により加熱する電気調理器において、前記加熱体への通電を制御する温度調節部を有する通電制御具と、前記加熱体と商用電源と着脱接続可能な電源接続部を有し、ボデーに置載された保護ケースと、前記電源接続部で発生する熱を検知すると共に、その検知温度に達した時に、前記通電を停止して前記通電制御具の破損を防止する温度ヒューズと、前記保護ケースの前記各電源接続部ごとに接続され弾性物質よりなる保持板と、前記温度ヒューズを包みかつ、前記保持板により抱え込まれる電気絶縁物とを備え、前記電気絶縁物に、前記保持板間に２．５ｍｍ以上の隙間を確保する凸部を設けた電気調理器。
【請求項２】
被加熱器具を加熱体への通電により加熱する電気調理器において、前記加熱体への通電を制御する温度調節部を有する通電制御具と、前記加熱体と商用電源と着脱接続可能な電源接続部を有し、ボデーに置載された保護ケースと、前記電源接続部で発生する熱を検知すると共に、その検知温度に達した時に、前記通電を停止して前記通電制御具の破損を防止する温度ヒューズと、前記保護ケースの前記各電源接続部ごとに接続され弾性物質よりなる保持板と、前記温度ヒューズを包みかつ前記保持板により抱え込まれる電気絶縁物とを備え、前記電気絶縁物の外部に、前記保持板間に２．５ｍｍ以上の隙間を確保する環状の電気絶縁物を設けた構成とした電気調理器。
【請求項３】
温度ヒューズを包む電気絶縁物内に、前記温度ヒューズと保持板の位置ずれを低減する温度ヒューズセット凸部を設けた構成とした請求項１または請求項２記載の電気調理器。
【請求項４】
温度ヒューズを包む電気絶縁物外部に保護部材を配し、保持板により前記保護部材を抱え込む構成とした請求項１または請求項２記載の電気調理器。
【請求項５】
温度ヒューズを包む電気絶縁物の先端部に保護部材抜け止めリブを設けた請求項４に記載の電気調理器。
【発明の詳細な説明】
【０００１】
【発明の属する技術分野】
本発明は一般家庭用として調理に用いられる電気調理器に関するものである。
【０００２】
【従来の技術】
以下、従来の技術について図５に基づいて説明する。図５において、１は被加熱器具であるプレート、２はプレートを置載し加熱するための加熱体であるヒーター、３はヒーターを置載し覆う遮熱板、４は商用電源からヒーターへの接続と温度調節とを行う通電制御具、５は遮熱板を覆うボデー、６はボデーに置載し、ヒーターへつながる電源接続部７を配する保護ケースである。
【０００３】
以上の構成において、保護ケースに設けたヒーターへつながる電源接続部に通電制御具を接続し、ヒーターの通電を行い、プレートが加熱される。この際、プレートに当接した通電制御具の温度感熱部により、ヒーターの通電制御を行い、プレートの温度を調節する。
【０００４】
【発明が解決しようとする課題】
しかしながら上記従来の構成では、調理物の汁などが付着した場合など、まれではあるが、電源接続部と通電制御具との接続部の接触抵抗が上昇し、発熱が起こり、通電制御具を破損させてしまうという課題があった。
【０００５】
本発明はこのような従来の課題を解決するための、電源接続部と通電制御具との接触抵抗上昇による発熱を検知し、温度ヒューズの切断により通電を停止する電気調理器における温度ヒューズの絶縁構成を提供することを目的とする。
【０００６】
【課題を解決するための手段】
上記課題を解決するために本発明は、被加熱器具を加熱体への通電により加熱する電気調理器において、前記加熱体への通電を制御する温度調節部を有する通電制御具と、前記加熱体と商用電源と着脱接続可能な電源接続部を有し、ボデーに置載された保護ケースと、前記電源接続部で発生する熱を検知すると共に、その検知温度に達した時に、前記通電を停止して前記通電制御具の破損を防止する温度ヒューズと、前記保護ケースの前記各電源接続部ごとに接続され弾性物質よりなる保持板と、前記温度ヒューズを包みかつ、前記保持板により抱え込まれる電気絶縁物とを備え、前記電気絶縁物に、前記保持板間に２．５ｍｍ以上の隙間を確保する凸部を設けたものである。前記保持板により、接触抵抗の上昇により電源接続部で発生する熱を温度ヒューズに熱伝導させ、温度ヒューズの温度検知および通電切断動作により通電を停止し、通電制御具の破損を防止することができる。
【０００７】
【発明の実施の形態】
上記課題を解決するために請求項１記載の発明は、被加熱器具を加熱体への通電により加熱する電気調理器において、前記加熱体への通電を制御する温度調節部を有する通電制御具と、前記加熱体と商用電源と着脱接続可能な電源接続部を有し、ボデーに置載された保護ケースと、前記電源接続部で発生する熱を検知すると共に、その検知温度に達した時に、前記通電を停止して前記通電制御具の破損を防止する温度ヒューズと、前記保護ケースの前記各電源接続部ごとに接続され弾性物質よりなる保持板と、前記温度ヒューズを包みかつ、前記保持板により抱え込まれる電気絶縁物とを備え、前記電気絶縁物に、前記保持板間に２．５ｍｍ以上の隙間を確保する凸部を設けた構成とすることにより、接触抵抗の上昇によって電源接続部で発生する熱を温度ヒューズに熱伝導させ、温度ヒューズの温度検知および通電切断動作により通電を停止し、通電制御具の破損を防止することができるとともに、温度ヒューズを１本とできることで、感度ばらつきがなく、コストを低減することができる。また、異極に接続した保持板の異極間の絶縁距離を確保できるとともに、温度ヒューズの絶縁保護部と凸部を一体とすることで構成を簡素化することができる。
【０００８】
請求項２記載の発明は、被加熱器具を加熱体への通電により加熱する電気調理器において、前記加熱体への通電を制御する温度調節部を有する通電制御具と、前記加熱体と商用電源と着脱接続可能な電源接続部を有し、ボデーに置載された保護ケースと、前記電源接続部で発生する熱を検知すると共に、その検知温度に達した時に、前記通電を停止して前記通電制御具の破損を防止する温度ヒューズと、前記保護ケースの前記各電源接続部ごとに接続され弾性物質よりなる保持板と、前記温度ヒューズを包みかつ前記保持板により抱え込まれる電気絶縁物とを備え、前記電気絶縁物の外部に、前記保持板間に２．５ｍｍ以上の隙間を確保する環状の電気絶縁物を設けた構成とすることにより、異極に接続した保持板の異極間の絶縁距離を確保できるとともに、温度ヒューズの絶縁保護部と凸部を別体とすることで、温度ヒューズの絶縁保護部と凸部の形状を筒形状とする簡単な形状で形成することができる。
【０００９】
請求項３記載の発明は、温度ヒューズを包む電気絶縁物内に、前記温度ヒューズと保持板の位置ずれを低減する温度ヒューズセット凸部を設けることにより、温度ヒューズと保持板の位置ずれを低減し、温度ヒューズの温度検知感度を向上することができ、かつ組立を容易にすることができる。
【００１０】
請求項４記載の発明は、温度ヒューズを包む電気絶縁物外部に保護部材を配し、保持板により前記保護部材を抱え込む構成とすることにより、組立時の保持板による温度ヒューズの絶縁保護部を損傷することなく、絶縁保護を確実なものとできる。
【００１１】
請求項５記載の発明は、温度ヒューズを包む電気絶縁物の先端部に保護部材抜け止めリブを設けることにより、組立時の保持板による温度ヒューズの絶縁保護部を損傷することなく、絶縁保護を確実なものとできるとともに、保護部材を容易に、かつ確実にセットできる。
【００１２】
【実施例】
以下本発明の実施例について図面を参照して説明する。
【００１３】
（実施例１）
請求項１および、請求項３、４、５の実施例について説明する。図１および図２において、１１は調理物を載せて調理を行う被加熱器具であるプレート、１２はプレート１１を置載し、加熱する加熱体であるヒーター、１３はヒーター１２を支持しかつ覆う遮熱板、１４は商用電源からヒーター１２への接続部１５と温度調節を行う温度調節部１６とを有する通電制御具、１７は通電制御具１４とヒーター１２への電源接続をおこなう保護ケース、１８は保護ケース１７に設けた電源接続部、１９は電源接続部１８に締め付けられた弾性物質よりなる保持板であり、本実施例では弾性物質はバネ性燐青銅を用いる。２０は保持板１９によって保持された温度ヒューズ、２１は、遮熱板１３を覆い、保護ケース１７を置載するボデーである。２２は温度ヒューズ２０を包みかつ、前記保持板１９間に２．５ｍｍ以上の隙間を確保する凸部２３を有する電気絶縁物。２４は、温度ヒューズ２０を包む電気絶縁物２２内に設けた温度ヒューズセット凸部、２５は温度ヒューズ２０を包む電気絶縁物２２外部に配した保護部材、２６は温度ヒューズ２０を包む電気絶縁物２２の先端部に設けた保護部材２５抜け止めリブである。ここで、保持板１９は保護ケース１７の各電源接続部１８ごとに締め付けをおこない、それぞれの保持板１９で一個の温度ヒューズ２０を保持する。またさらに、温度ヒューズ２０は保持板１９により抱え込む。
【００１４】
上記構成において、調理物を載せて調理を行うプレート１１は、遮熱板１３により覆われ支持されたヒーター１２の上に置載して加熱される。ヒーター１２の加熱は、ヒーター１２と通電制御部を保護ケース１７の電源接続部１８で接続することにより、ヒーター１２が通電され加熱される。また、通電は、プレート１１下部に当接した温度調節部１６によりプレート１１の温度を感知し、通電制御される。
【００１５】
この際、通電制御部の接続部１５と保護ケース１７に設けた電源接続部１８の接触抵抗が上昇し、発熱がおこる場合がある。この熱は電源接続部１８に締め付けられた保持板１９に熱伝導し、保持板１９により保持された温度ヒューズ２０に熱が伝えられ、温度ヒューズ２０の検知温度に達すると、温度ヒューズ２０内のペレットが溶け、電流が切断される。これにより電源接続部１８の接触抵抗の上昇による熱を検知し、通電制御具１４の外郭破損を防止することができる。
【００１６】
また、温度ヒューズ２０を１本とできることで、感度ばらつきがなく、コストを低減することができる。
【００１７】
またさらに、温度ヒューズ２０を保持板１９で抱え込んだ構成とすることにより、温度ヒューズ２０と保持板１９の密着をよくすることができ温度検知感度を向上することができる。
【００１８】
また、温度ヒューズ２０を包みかつ、前記保持板１９間に２．５ｍｍ以上の隙間を確保する凸部２３を有する電気絶縁物２２を保持板１９で抱え込んだ構成とすることにより、異極に接続した保持板１９の異極間の絶縁距離を確保できるとともに、温度ヒューズ２０の絶縁保護部と凸部２３を一体とすることで構成を簡素化することができる。
【００１９】
また、温度ヒューズ２０を包む電気絶縁物２２内に温度ヒューズセット凸部２４を設けることにより、温度ヒューズ２０と保持板１９の位置ずれを低減し、温度ヒューズ２０の温度検知感度を向上することができ、かつ組立を容易にすることができる。
【００２０】
またさらに、温度ヒューズ２０を包む電気絶縁物２２外部に保護部材２５を配し、保持板１９により前記保護部材２５を抱え込む構成とすることにより、組立時の保持板１９による温度ヒューズ２０の電気絶縁物２２を損傷することなく、絶縁保護を確実なものとできる。
【００２１】
さらに、温度ヒューズ２０を包む電気絶縁物２２の先端部に保護部材２５抜け止めリブ２６を設けることにより、組立時の保持板１９による温度ヒューズ２０の電気絶縁物２２を損傷することなく、絶縁保護を確実なものとできるとともに、保護部材２５を容易に、かつ確実にセットできる。
【００２２】
（実施例２）
請求項２および、請求項３、４、５の実施例について説明する。図３および図４において、３１は調理物を載せて調理を行う被加熱器具であるプレート、３２はプレート３１を置載し、加熱する加熱体であるヒーター、３３はヒーター３２を支持しかつ覆う遮熱板、３４は商用電源からヒーター３２への接続部３５と温度調節を行う温度調節部３６とを有する通電制御具、３７は通電制御具３４とヒーター３２への電源接続をおこなう保護ケース、３８は保護ケース３７に設けた電源接続部、３９は電源接続部３８に締め付けられた弾性物質よりなる保持板であり、本実施例では弾性物質はバネ性燐青銅を用いる。４０は保持板３９によって保持された温度ヒューズ、４１は、遮熱板３３を覆い、保護ケース３７を置載するボデーである。４２は、温度ヒューズ４０を包む電気絶縁物、４３は前記電気絶縁物４２の外部に保持板３９間２．５ｍｍ以上の隙間を確保する環状電気絶縁物４３である。４４は、温度ヒューズ４０を包む電気絶縁物４２内に設けた温度ヒューズセット凸部、４５は温度ヒューズ４０を包む電気絶縁物４２外部に配した保護部材、４６は温度ヒューズ４０を包む電気絶縁物４２の先端部に設けた保護部材４５抜け止めリブである。
【００２３】
ここで、保持板３９は保護ケース３７の各電源接続部３８ごとに締め付けをおこない、それぞれの保持板３９で一個の温度ヒューズ４０を保持する。またさらに、温度ヒューズ４０は保持板３９により抱え込む。
【００２４】
上記構成において、調理物を載せて調理を行うプレート３１は、遮熱板３３により覆われ支持されたヒーター３２の上に置載して加熱される。ヒーター３２の加熱は、ヒーター３２と通電制御部を保護ケース３７の電源接続部３８で接続することにより、ヒーター３２が通電され加熱される。また、通電は、プレート３１下部に当接した温度調節部３６によりプレート３１の温度を感知し、通電制御される。
【００２５】
この際、通電制御部の接続部３５と保護ケース３７に設けた電源接続部３８の接触抵抗が上昇し、発熱がおこる場合がある。この熱は電源接続部３８に締め付けられた保持板３９に熱伝導し、保持板３９により保持された温度ヒューズ４０に熱が伝えられ、温度ヒューズ４０の検知温度に達すると、温度ヒューズ４０内のペレットが溶け、電流が切断される。これにより電源接続部３８の接触抵抗の上昇による発熱を検知し、通電制御具３４の外郭破損を防止することができる。
【００２６】
また、温度ヒューズ４０を１本とできることで、感度ばらつきがなく、コストを低減することができる。
【００２７】
またさらに、温度ヒューズ４０を保持板３９で抱え込んだ構成とすることにより、温度ヒューズ４０と保持板３９の密着をよくすることができ温度検知感度を向上することができる。
【００２８】
また、温度ヒューズ４０を包む電気絶縁物４２を保持板３９で抱え込み、前記電気絶縁物４２の外部に保持板３９間２．５ｍｍ以上の隙間を確保する環状の電気絶縁物４３を設けた構成とすることにより、異極に接続した保持板３９の異極間の絶縁距離を確保できるとともに、温度ヒューズ４０の絶縁保護部と凸部を別体とすることで、温度ヒューズ４０の電気絶縁物４２と凸部の形状を筒形状とする簡単な形状で形成することができる。
【００２９】
また、温度ヒューズ４０を包む電気絶縁物４２内に温度ヒューズセット凸部４４を設けることにより、温度ヒューズ４０と保持板３９の位置ずれを低減し、温度ヒューズ４０の温度検知感度を向上することができ、かつ組立を容易にすることができる。
【００３０】
またさらに、温度ヒューズ４０を包む電気絶縁物４２外部に保護部材４５を配し、保持板３９により保護部材４５を抱え込む構成とすることにより、組立時の保持板３９による温度ヒューズ４０の電気絶縁物４２を損傷することなく、絶縁保護を確実なものとできる。
【００３１】
さらに、温度ヒューズ４０を包む電気絶縁物４２の先端部に保護部材４５抜け止めリブ４６を設けることにより、組立時の保持板３９による温度ヒューズ４０の電気絶縁物４２を損傷することなく、絶縁保護を確実なものとできるとともに、保護部材４５を容易に、かつ確実にセットできる。
【００３２】
【発明の効果】
上記より明らかなように、本発明によれば、接触抵抗の上昇によって電源接続部で発生する熱を温度ヒューズに熱伝導させ、温度ヒューズの温度検知および通電切断動作により通電を停止し、通電制御具の破損を防止することができるとともに、温度ヒューズを１本とできることで、感度ばらつきがなく、コストを低減することができる。また、異極に接続した保持板の異極間の絶縁距離を確保できるとともに、温度ヒューズの絶縁保護部と凸部を一体とすることで構成を簡素化することができる。
【００３３】
また、温度ヒューズを包む電気絶縁物を保持板で抱え込み、前記電気絶縁物の外部に保持板間２．５ｍｍ以上の隙間を確保する環状の電気絶縁物を設けた構成とすることにより、異極に接続した保持板の異極間の絶縁距離を確保できるとともに、温度ヒューズの絶縁保護部と凸部を別体とすることで、温度ヒューズの絶縁保護部と凸部の形状を筒形状とする簡単な形状で形成することができる。
【図面の簡単な説明】
【図１】  本発明の実施例１における電気調理器の全体断面図
【図２】  本発明の実施例１における温度ヒューズ絶縁構成概略図
【図３】  本発明の実施例２における電気調理器の全体断面図
【図４】  本発明の実施例２における温度ヒューズ絶縁構成概略図
【図５】  従来の電気調理器の全体断面図
【符号の説明】
１、１１、３１  プレート
２、１２、３２  ヒーター
３、１３、３３  遮熱板
４、１４、３４  通電制御具
５、２１、４１  ボデー
６、１７、３７  保護ケース
７、１８、３８  電源接続部
１５、３５  接続部
１６、３６  温度調節部
１９、３９  保持板
２０、４０  温度ヒューズ
２２、３２、４２  電気絶縁物
２３  凸部
２４、４４  温度ヒューズセット凸部
２５、４５  保護部材
２６、４６  抜け止めリブ
４３  環状電気絶縁物
【図１】
0003675295.tif 000002
【図２】
0003675295.tif 000003
【図３】
0003675295.tif 000004
【図４】
0003675295.tif 000005
【図５】
0003675295.tif 000006